(57)【要約】【課題】本発明は、スピーカ又はヘッドホンにより音声を再生可能であって、ヘッドホン使用時とスピーカ使用時とで音質を自動的に適正値に制御することができ、かつユーザにより好みの音質に設定可能な音声再生装置を提供する。【解決手段】スピーカ及びヘッドホンでの音声再生を可能とし、ヘッドホンプラグの挿入・非挿入を検出する検出回路と、メモリ回路とを備え、スピーカ又はヘッドホン再生時にメモリ回路に記憶した標準音質データをもとに再生音声信号の音質を標準値に設定し、かつユーザによって音質が補正されたときは補正データをメモリ回路に記憶し、標準音質データ及び補正データに基いてスピーカ又はヘッドホンでの再生に適した音質に調整する。【選択図】　図１
2004064172.tif 000002
【特許請求の範囲】
【請求項１】
スピーカ及びヘッドホンでの音声再生を可能とする音響機器において、
音声信号源と、
前記音声信号源からの音声信号が入力される入力端子と、制御信号端子と、前記制御信号端子に供給された制御信号に応じて前記入力された音声信号の音質を制御して出力する出力端子とを有する音声処理回路と、
ヘッドホンプラグの挿入・非挿入に応じて前記音声処理回路からの出力を前記スピーカ又は前記ヘッドホンに選択的に出力する切り換え回路と、
前記ヘッドホンプラグの挿入・非挿入を検出する検出回路と、
スピーカ及びヘッドホン再生時における標準音質データをそれぞれ記憶した第１の記憶手段と、スピーカ及びヘッドホン再生時にユーザによって音質が補正されたとき音質の補正データを記憶可能な第２の記憶手段とを有してなるメモリ回路と、
前記検出回路からの検出結果及び前記メモリ回路から読み出した前記標準音質データ及び補正データに基いて前記音声処理回路を制御し、前記スピーカ及び前記ヘッドホンでの再生に適した音質に調整する制御回路とを具備したことを特徴とする音声再生装置。
【請求項２】
前記制御回路は、前記スピーカ又はヘッドホンでの最初の再生時には前記標準音質データに基いて前記音声処理回路を制御し、標準音質に調整することを特徴とする請求項１記載の音声再生装置。
【請求項３】
前記制御回路は、ユーザにより音質の調整が行なわれた場合は、前記標準音質との差分に相当する補正データを前記第２の記憶手段に記憶し、次回に前記スピーカ又はヘッドホンで再生するときは、前記標準音質データと前記補正データに基いて前回の再生時と同じ音質で再生するように前記音声処理回路を制御することを特徴とする請求項１記載の音声再生装置。
【請求項４】
前記制御回路は、ユーザが標準音質での再生を指示したときには、前記標準音質データのみを用いて前記音声処理回路を制御することを特徴とする請求項１記載の音声再生装置。
【請求項５】
前記検出回路は、電源電圧が抵抗を介して入力される入力端子と、この入力端子と基準電位点間に接続されたスイッチと前記スピーカからなる直列回路とを具備し、前記ヘッドホンプラグの挿入・非挿入に応じて前記スイッチを開閉し、前記入力端子の電圧変化によって前記ヘッドホンプラグの挿入・非挿入を検出するようにしたことを特徴とする請求項１記載の音声再生装置。
【発明の詳細な説明】
【０００１】
【発明の属する技術分野】
本発明は、テレビジョン受像機、ステレオ再生装置等の音響機器に関し、スピーカまたはヘッドホンを利用して音声を再生するものにおいて、スピーカによる再生時とヘッドホンによる再生時とで、それぞれに適した音質で音声を聴取可能にした音声再生装置である。
【０００２】
【従来の技術】
従来の音響機器、例えばテレビジョン受像機やステレオ再生装置においては、スピーカで音声を再生する場合と、ヘッドホンを利用して音声を再生する場合とがあり、音声信号の音質設定はオーディオ・プロセッサで行われ、オーディオ・プロセッサは、マイクロコンピュータ（以下マイコンと称す）により制御されている。制御された音声信号は音声出力アンプで増幅され、スピーカまたはヘッドホンに出力される。
【０００３】
そして、ヘッドホンプラグが挿入されていない時には、音声信号はスピーカに出力され、ヘッドホンプラグ挿入時には、音声信号はヘッドホンのみに出力され、スピーカからは出力されないようになっている。また、ヘッドホンプラグの挿入、非挿入にかかわらず音質設定は同じでのままである。
音質設定は聴く場所やスピーカに合わせて設定することが多く、前記マイコンを介してオーディオ・プロセッサを制御することによって音質を設定できる。しかしながら、スピーカで聴く場合に設定した音質をそのままヘッドホンで聴く場合に適用しても、必ずしもヘッドホンに適した音質設定とはならない。これは、ヘッドホンの周波数特性がスピーカの特性とは異なるためである。
そこで従来では、スピーカで聴く場合とヘッドホンで聴く場合とで、それぞれ音質を設定し直す必要があった。このため、ヘッドホンプラグを挿抜する度に音質を設定し直す必要があり、操作が煩雑であり、その操作が面倒なユーザはスピーカ又はヘッドホンで設定したいずれかの音質で我慢して聴くしかなかった。
【０００４】
また、上記の煩わしさを解消する装置が特開平１０−３９８６９号公報に記載されている。この先行技術は、ヘッドホンプラグがヘッドホンジャックに挿入されていない時には、スピーカに適した周波数補正を行った音声信号をスピーカに供給し、ヘッドホンプラグが挿入された場合には、これを検知して、出力先をヘッドホンに切り替え、ヘッドホンに適した周波数補正を行った音声信号をヘッドホンに供給するようにしたものである。
【０００５】
この先行技術によれば、ヘッドホンおよびスピーカに適した音質で再生するために、ＲＯＭに予め音質補正データを記憶しておき、ヘッドホン使用時およびスピーカ使用時にそれぞれ適した音質補正データを読み出し、いずれの場合であっても良好な音質で音楽信号を出力できるようにしている。
しかしながら、上記先行技術ではスピーカ用又はヘッドホン用に設定した音質を、ユーザの好みにより変更したい場合にはそれができず、できたとしても再設定が面倒であるという課題がある。
【０００６】
【発明が解決しようとする課題】
以上述べたように従来の音声再生装置では、スピーカで聴く場合とヘッドホンで聴く場合とで、それぞれ音質を設定し直す必要があり操作が煩雑であった。また、ヘッドホンの挿抜を検知して、スピーカ又はヘッドホンに適した周波数補正を行うようにしたした場合であっても、音質をユーザの好みにより変更したい場合にはそれができないという不具合があった。
【０００７】
本発明は上記の点に鑑み、ヘッドホン使用時とスピーカ使用時とで音質を自動的に適正値に制御可能であって、かつユーザの好みの音質設定が可能な音声再生装置を提供することを目的とする。
【０００８】
【課題を解決するための手段】
本発明は、スピーカ及びヘッドホンでの音声再生を可能とする音響機器において、
音声信号源と；前記音声信号源からの音声信号が入力される入力端子と、制御信号端子と、前記制御信号端子に供給された制御信号に応じて前記入力された音声信号の音質を制御して出力する出力端子とを有する音声処理回路と；ヘッドホンプラグの挿入・非挿入に応じて前記音声処理回路からの出力を前記スピーカ又は前記ヘッドホンに選択的に出力する切り換え回路と；前記ヘッドホンプラグの挿入・非挿入を検出する検出回路と；スピーカ及びヘッドホン再生時における標準音質データをそれぞれ記憶した第１の記憶手段と、スピーカ及びヘッドホン再生時にユーザによって音質が補正されたとき音質の補正データを記憶可能な第２の記憶手段とを有してなるメモリ回路と；前記検出回路からの検出結果及び前記メモリ回路から読み出した前記標準音質データ及び補正データに基いて前記音声処理回路を制御し、前記スピーカ及び前記ヘッドホンでの再生に適した音質に調整する制御回路とを具備したことを特徴とする音声再生装置である。
【０００９】
本発明によればヘッドホンプラグの挿入の有無を自動的に検出して、スピーカ及びヘッドホンに適した標準音質で音声信号を再生することができ、さらにユーザが音質を調整した場合は、補正された音質データを基に好みの音質で再生することができる。
【００１０】
【発明の実施の形態】
図１は、本発明に係る音声再生装置の一実施形態を示すブロック図であり、テレビジョン受像機に応用した例を示している。以下、図面を参照しながら、本発明の実施形態について説明する。
【００１１】
図において、１はアンテナであり、このアンテナ１で受信したテレビジョン信号はチューナ２に入力される。このチューナ２ではマイコン３の制御のもとに任意のチャンネルが選局され、かつ音声信号及び映像信号の復調が行われる。
【００１２】
前記音声信号は、音声多重信号処理回路４に供給され、ステレオ音声信号Ｌ，Ｒが出力される。尚、ステレオ音声以外に、モノラル音声或いは二カ国語音声が出力されることもあるが、以降の説明ではステレオ音声信号Ｌ，Ｒが出力された場合について説明する。
【００１３】
また、５は映像処理回路であり、輝度信号、色信号の分離や同期信号の再生等を行うものであり、表示装置６（ＣＲＴ等）に映像信号を供給するものである。
【００１４】
一方、前記音声信号Ｌ，Ｒは、オーディオ・プロセッサ７に供給される。オーディオ・プロセッサ７はマイコン３の制御のもとに音質等の調整を行い、音質調整された音声信号Ｌ，Ｒはそれぞれ音声出力アンプ８、９を介して切り換え回路１０に供給される。
【００１５】
この切り換え回路１０は、ヘッドホンジャック及びスイッチを有し、ヘッドホンジャックにヘッドホンプラグが挿入されていないときには音声信号Ｌ，Ｒをスピーカ１１、１２のみに出力し、ヘッドホンジャックにヘッドホンプラグが挿入されたときには音声信号Ｌ，Ｒをヘッドホン１３に出力するものである。また、この切り換え回路１０にはヘッドホンプラグ１３１の挿入・非挿入を検出する検出回路１４が接続されており、ヘッドホンプラグ１３１の挿入時と非挿入時（抜去時）でそれぞれ異なる検出信号を前記マイコン３に供給する。
【００１６】
このマイコン３にはＲＯＭ１５１及びＲＡＭ１５２等で構成されたメモリ１５が接続されており、このメモリ１５には音質補正データ（後述）等を記憶できるようにしている。また、１６はリモートコントローラ（以下リモコンと称す）であり、前記マイコン３に音質、音量、バランス等の制御指令を伝送するものであり、マイコン３にはリモコン受光部１７が接続されている。またリモコン１６以外の操作部１８が備えられており、この操作部１８を操作することによっても各種の制御指令をマイコン３に入力することができる。
【００１７】
前記オーディオ・プロセッサ７は、マイコン３の制御のもとに周波数補正を行い、音質設定が可能であり、その音質データがメモリ１５に記憶されている。前記ＲＯＭ１５１の第１の記憶領域には前記スピーカ１１，１２に適した音質データ（適正値）が予め記憶されており、第２の記憶領域には前記ヘッドホン１３に適した音質データ（適正値）が予め記憶されている。
【００１８】
これら音質データは、マイコン３の制御のもとに前記検出回路１４の検出結果に応答して読み出され、ヘッドホンプラグ１３１が挿入されていないときにはスピーカ１１、１２用の音質データが読み出され、ヘッドホンプラグ１３１が挿入されたときにはヘッドホン１３用の音質データが読み出され、マイコン３はこれら読み出されたデータを基にオーディオ・プロセッサ７を制御して、音質調整を行う。
【００１９】
また、リモコン１６等によりユーザが音質調整を行った場合にはユーザ調整による補正データが新たに記憶されるようになっており、前記ＲＡＭ１５２の第１の記憶領域には前記スピーカ１１，１２用の補正データ記憶され、第２の記憶領域には前記ヘッドホン１３用の補正データが記憶され、前記適正値の音質データにこの補正データを加算することでユーザ好みの音質設定が可能となる。
【００２０】
また、ユーザがリモコン１６等の操作により、標準的な音質に設定したい場合には、前述した適正値の音質データのみを読み出すこともでき、この適正値の音質データによって標準音質に設定可能にしている。
【００２１】
また、前記メモリ１５には、ヘッドホンプラグ１３１が挿入されているか否かを示す情報も記憶するようにしている。尚、オーディオ・プロセッサ７としては、例えばイコライザを用いることができ、各周波数帯域ごとに音圧レベルを増加、減少するように制御し、メモリ１５からの音質調整データを基に各周波数帯域を制御するようにしている。
【００２２】
次に、前記切り換え回路１０の具体的な回路構成を図２を参照して説明する。図２において、１０１はヘッドホンジャックであり、ここにヘッドホンプラグ１３１が挿入可能になっている。また、Ｓ１，Ｓ２はスイッチであり、それぞれ端子ａ１〜ｄ１及び端子ａ２〜ｄ２を有している。また端子ｅ１はアース端子である。
【００２３】
端子ａ１，ｂ１には音声信号Ｌが供給され、端子ａ２，ｂ２には音声信号Ｒが供給されている。また、端子ｃ１とアース間にはスピーカ１１が接続され、端子ｃ２とアース間にはスピーカ１２が接続され、端子ｄ１は抵抗Ｒ１を介して電源Ｖｃｃに接続されている。また端子ｄ１は前記検出回路１４に接続されており、前記スイッチＳ１、Ｓ２は、前記ヘッドホンプラグ１３１の挿入、抜去に応じて切り換わるようになっている。
【００２４】
即ち、ヘッドホンプラグが挿入されていない状態（図示の状態）では、端子ｂ１と端子ｃ１が短絡し、端子ｄ１は開放状態となる。同様に端子ｂ２と端子ｃ２が短絡し、端子ｄ２は開放状態となる。これにより、音声信号Ｌ，Ｒはスピーカ１１，１２にそれぞれ供給される。またこのとき、端子ｄ１は開放となるため、検出回路１４には電源からの電圧Ｖｃｃが抵抗Ｒ１を介して供給される。
【００２５】
一方、ヘッドホンプラグが挿入された状態では、端子ａ１とａ２がヘッドホンプラグに接続され、端子ｂ１と端子ｂ２は開放となり、端子ｃ１とｄ１間が短絡し、端子ｃ２とｄ２間も短絡状態となる。これにより、音声信号Ｌ，Ｒはヘッドホンにそれぞれ供給される。またこのとき、端子ｃ１とｄ１間の短絡により、検出回路１４には抵抗Ｒ１とスピーカ１１のインピーダンスで分圧された電圧が供給される。したがって、検出回路１４はヘッドホンプラグ１３１の非挿入時には高い電圧が供給され、挿入時には分圧された低い電圧が供給されるため、この電圧変化を判別することにより、スピーカ１１，１２の使用時とヘッドホン１３の使用時とを検出することができる。
【００２６】
次にこのような本発明の音声再生装置における音質の制御動作について、図３のフローチャートを参照して説明する。尚、ＲＯＭ１５１には、スピーカ１１，１２に適した音質データ（適正値）とヘッドホン１３に適した音質データ（適正値）が予め記憶されているものとする。
【００２７】
まず、ステップＳ１では、ヘッドホンが挿入されているか否かの判定が行なわれる。ヘッドホン抜去時、つまりスピーカ１１，１２で再生しているときは、前記検出回路１４には高い電圧が供給され、検出回路１４はそれを判別してマイコン３にスピーカ１１，１２による再生が行われていることを知らせる。これにより、マイコン３は、ステップＳ２においてメモリ１５の読み出し制御を行い、ＲＯＭ１５１の第１領域に記憶されている適正音質データを読み出す。
【００２８】
また、ステップＳ３では、ＲＡＭ１５２に補正データが記憶されているか否かを判別する。初期状態においては、補正データがないので、ステップＳ４に進み、ＲＯＭ１５１からの適正音質データを基にオーディオ・プロセッサ７を制御する。これにより、オーディオ・プロセッサ７からはスピーカ１１，１２で再生するに適した音質の音声信号Ｌ，Ｒが出力され、音声出力アンプ８，９を介してスピーカ１１，１２が駆動される。
【００２９】
なお、ステップＳ３でＲＡＭ１５２に補正データが記憶されている場合は、ステップＳ５において、補正データも読み出され、前記適正音質データとこの補正データの両データを基に音質調整が行なわれる。
【００３０】
さらに、ステップＳ４又はステップＳ５の状態から、ユーザがリモコン１６等により音質調整の操作を行うと、ステップＳ６において操作内容が判別され、ユーザが標準の音質での再生を希望する場合はステップＳ４に戻り、標準音質での再生が行なわれる。またステップＳ６において、ユーザが更なる音質調整を行なったときは、ステップＳ７において前記オーディオ・プロセッサ７によりユーザ好みの音質に調整され、再調整された音声信号が出力される。
【００３１】
このとき前記ＲＡＭ１５２には前記標準音質との差分に相当する補正データが記憶されるが、この補正データはユーザが音質調整を行なう都度ステップＳ８において更新されて記憶される。このステップＳ８経過後はステップ１に戻り、以降もユーザの操作に応じて音質調整が行われる。こうして、スピーカ１１，１２で音声の再生がおこなわれるときには、前記適正音質データと更新された補正データが読み出され、適正音質データと補正データの両データに基づいて音質制御を行うことができる。
【００３２】
次に、ヘッドホンプラグの挿入時、つまりヘッドホンによる再生時には、ステップＳ８からステップＳ１に戻り、前記検出回路１４には低い電圧が供給され、検出回路１４はそれを判別してマイコン３にヘッドホン１３による再生が行われていることを知らせる。これにより、マイコン３は、図４のステップに移行し、ステップＳ１２においてＲＯＭ１５１の第２領域に記憶されている適正音質データを読み出す。またステップＳ１３では、ＲＡＭ１５２に補正データが記憶されているか否かを判別する。初期状態においては、補正データがないので、ステップＳ１４に進み、ＲＯＭ１５１からの適正音質データを基にオーディオ・プロセッサ７を制御する。これにより、オーディオ・プロセッサ７からはヘッドホン１３で再生するに適した標準音質の音声信号Ｌ，Ｒが出力され、音声出力アンプ８，９を介してヘッドホン１３が駆動される。
【００３３】
また、ステップＳ１３でＲＡＭ１５２に補正データが記憶されている場合は、ステップＳ１５において、補正データも読み出され、前記適正音質データとこの補正データの両データを基に音質調整が行なわれ、オーディオ・プロセッサ７からはヘッドホン１３で再生するに適した音質の音声信号Ｌ，Ｒが出力される。
【００３４】
また、この状態でユーザがリモコン１６等により音質調整を行った場合、ステップＳ１６において操作内容が判別され、ユーザが標準の音質での再生を希望する場合はステップＳ１４に戻り、標準音質での再生が行なわれる。またステップＳ１６において、ユーザが更なる音質調整を行なったときは、ステップＳ１７において前記オーディオ・プロセッサ７によりユーザ好みの音質に調整され、再調整された音声信号が出力される。
【００３５】
このとき前記ＲＡＭ１５２に記憶されている補正データはステップＳ１８において更新されて記憶される。このステップＳ１８経過後はステップ１に戻り、ユーザの操作に応じて音質調整が行われる。こうして、ヘッドホン１３で音声の再生がおこなわれるときには、前記適正音質データと更新された補正データが読み出され、適正音質データと補正データの両データに基づいて音質制御を行うことができる。また、ヘッドホンプラグが抜去されると、ステップＳ８からステップＳ１に戻り、図３で説明したスピーカでの再生に適した音質制御が行なわれる。
【００３６】
つまり初期設定時においては、スピーカ及びヘッドホンの音質はＲＯＭ１５１に記憶された適正値データをもとに標準値に調整されるが、再生時にユーザによって音質が補正されるとその補正データがＲＡＭ１５２に記憶され、補正された音質（ユーザ好みの音質）で再生され、その後は適正値データと補正データによってスピーカ及びヘッドホンに応じた音質調整が行われるようになる。
【００３７】
したがって、２回目以降のヘッドホンプラグ挿入時は、前回のヘッドホプラグン抜去前の音質設定状態に戻りヘッドホン再生が行われる。同様に２回目以降のヘッドホンプラグ抜去時は、前回のヘッドホンプラグ挿入前の音質設定に戻りスピーカでの再生が行われる。
【００３８】
また、ユーザが標準の音質調整を希望した場合は、ＲＯＭ１５１に記憶されている適正値データのみが読み出され、ユーザは標準的な音質でスピーカ及びヘッドホンでの再生を行うことができる。
【００３９】
なお、図１ではオーディオ・プロセッサ７としてアナログのイコライザを使用する例を述べたが、ＤＳＰ（デジタル・シグナル・プロセッサ）を用いることもできる。この場合、音声多重信号処理回路４の出力はＡ／Ｄ変換器によってデジタル信号に変換されてＤＳＰに供給され、ＤＳＰの出力はＤ／Ａ変換器によってアナログ信号に変換されて音声出力アンプ８，９に供給される。
【００４０】
また、図１ではテレビジョン受像機の例を述べているが、本発明はステレオ再生装置等、他の音響機器にも適用できることは言うまでもない。
【００４１】
【発明の効果】
以上詳述したように、本発明によれば、ヘッドホンプラグの挿入の有無を自動的に検出して、スピーカ及びヘッドホンに適した音質で音声信号を再生することができる。またユーザが好みの音質で再生することができる。
【図面の簡単な説明】
【図１】本発明に係る音声再生装置の一実施形態を示すブロック図。
【図２】本発明の音声再生装置に使用する切り換え回路を示す接続図。
【図３】本発明の音声再生装置の動作を説明するフローチャート。
【図４】本発明の音声再生装置の動作を説明するフローチャート。
【符号の説明】
１…アンテナ
２…チューナ
３…マイコン
４…音声多重信号処理回路
５…映像処理回路
６…表示装置
７…オーディオ・プロセッサ
８，９…音声出力アンプ
１０…切り換え回路
１０１…ヘッドホンジャック
１１，１２…スピーカ
１３…ヘッドホン
１３１…ヘッドホンプラグ
１４…検出回路
１５…メモリ
１５１…ＲＯＭ
１５２…ＲＡＭ
１６…リモコン
１７…受光部
１８…操作部
【図１】
2004064172.tif 000003
【図２】
2004064172.tif 000004
【図３】
2004064172.tif 000005
【図４】
2004064172.tif 000006